(57)【要約】【課題】従来の冷凍冷蔵庫の扉の場合、ハンドルの一部にオーナメントを配置する方法としてインサート成形やホットスタンプ等の二次加工が存在するが、加工範囲に制約があり、正面側のみ、または、正面と側面をつなぐＲ止まりまでといった制約があった。また、メッキ、真空蒸着、塗装による二次加工では形状による制約は、少ないが部品の一部に加工したい場合にはマスキング処理が必要なため、コストアップにつながっていた。【解決手段】この発明に係る冷凍冷蔵庫の扉は、ハンドルをオーナメント見切部で分割し、別ピ−ス化することでハンドルの一部にメッキ、真空蒸着、塗装等の二次加工をマスキングなしでＬ字形に配置可能とするものである【選択図】　　　　図１
2004061043.tif 000002
【特許請求の範囲】
【請求項１】
冷蔵庫の扉に配置されて操作者が手を掛け前記扉を開閉操作する手掛け部において、Ｌ字形を有し、前記操作者が操作する方向と同一平面内にＬ字を成す一方の直線を含み、前記手掛け部の手を掛ける面内にＬ字を成す他方の直線を設ける、と共に前記手掛け部に対し別部材化したオーナメントを配設したことを特徴とする冷凍冷蔵庫。
【請求項２】
冷蔵庫の扉に配置されて操作者が手を掛け前記扉を開閉操作する手掛け部において、前記手掛け部のＲ止まりを挟み前記冷蔵庫扉を引き出す方向に十分長く装飾した意匠面を形成したオーナメントを装着した事を特徴とする冷凍冷蔵庫。
【請求項３】
冷蔵庫の扉に配置されて操作者が手を掛け前記扉を開閉操作する手掛け部において、冷蔵庫が製品機能終了後解体される場合、前記オーナメントは前記オーナメントを前記扉から取り外すと共に前記手掛け部と前記扉の間の嵌合が緩むことで取り外され、前記オーナメントは弾性変形を利用した前記扉との間の嵌合を解除される事を特徴とする請求項２又は３記載の冷凍冷蔵庫。
【発明の詳細な説明】
【０００１】
【発明の属する技術分野】
この発明は、冷蔵庫扉の意匠及び機能に関わるもので、冷蔵庫扉の意匠性および冷蔵庫扉の製造法やリサイクル性を考慮して手掛部のオーナメントをＬ字形に設けたことにより、使い勝手、製品の製造並びに解体時操作性、コストを向上した冷凍冷蔵庫に関するものである。
【０００２】
【従来の技術】
図７は従来の冷凍冷蔵庫の扉を示す図である。図８は図７のｚ−ｚ断面を示している。図７、８において、意匠パネル１の上下を上キャップ２及び下キャップ４ではさみ内部には断熱材５が充填されている。上キャップ２は手掛け用のハンドル３を兼ねている。
【０００３】
また、ハンドル３の正面側には意匠性を高めるためオーナメント３ａが施されている。オーナメントとは、装飾のことで、ハンドルの一部に金属調の光沢のあるもの、例えばアルミを蒸着させた箔を転写させる方法等で意匠性向上の目的のために配置する物である。
【０００４】
図９によって、従来の冷凍冷蔵庫の扉におけるパネル１に設けるハンドル３の一部に意匠としてオーナメント３ａを配置するため、意匠成形金型７により成形する方法を示す。意匠側金型面９とオーナメント側金型面１０の間にアルミ等が印刷されたシートとして示す箔１２を充填しておき、前記意匠成形金型７内に注入する樹脂注ぎ口８から樹脂部品１１と同時に箔１２を成形するインサート成形を示した。
【０００５】
また、従来の類する技術としては、図１０として示す特開２００１−１１６４３５号公報に掲載されたものであり、図にあるように樹脂製で凸状に湾曲した曲面を有する意匠パネル１の表面に略円形の把手部２９を備えたハンドル３を設け、前記把手部２９と一体に成形された略Ｌ字状の取付け部とで構成されていた。図１０の例ではハンドル３とハンドル取り付け部３０とを意匠上要求により異なる着色を施す部材として設計した場合、ハンドル３を覆ってハンドル取り付け部３０に着色する要求があった。
【０００６】
図１１ではハンドル３のオーナメント３ａ部に塗装する工程を示しており、工程１００で、ハンドル３及び上キャップ２の塗装未実施部を覆うマスキング治具を装着する。次工程１０１にてオーナメント３ａ部を塗装し、塗膜形成の目的でオーナメント３ａ部を乾燥する次工程１０２を経て、工程１０３にてマスキング治具をハンドル３から除去する。図１２では、インサート成形、ホットスタンプでは成形する部品の形状に制約が多く、断面をＬ字形に配置したい場合には正面と側面となすＲがその正面または側面との接線と接触するＲ止まりまでしかオーナメントを配置できない例を示した。
【０００７】
図１２で、意匠成形金型７内に注入する樹脂充填口８から樹脂部品１１と同時に箔１２を成形する場合の断面図である図１２（ａ）の矢視方向から見た図として表示した図１２（ｂ）と同図（ｃ）に示すように、一方の図１２（ａ）にてＲ部中心点より下方向へ箔１２の長さＬを短くした場合に相当する図１２（ｂ）では箔１２は横一直線に美しくハンドル３に成形されているが、他方のＲ部中心点より下方向へ箔１２の長さＬを長くした場合に相当する図１２（ｃ）では箔１２は横方向に辿って眺めていくと上下に波打ってハンドル３に対し成形されている。
【発明が解決しようとする課題】
従来の冷凍冷蔵庫の扉ハンドルの一部に意匠アクセントとしてオーナメントを配置する方法には、図９のように、光沢を有するアルミ等が印刷されたシートを樹脂充填時に金型内に注入する樹脂と同時に入れて成形するインサート成形、成形部品を二次加工即ち成形された部品に対して新たに成形部品の表面に加温及び加圧し装飾したい図案を別の印刷媒体等から転写するホットスタンプ、塗装等が存在する。前記２つの加工方法インサート成形、ホットスタンプでは成形する部品の形状に制約が多く、部品の一面のみ、または、図１２のように、断面をＬ字形に配置したい場合には正面と側面となすＲに関してその正面または側面との接線と接触するＲ止まりまでしかオーナメントを配置できない問題があった。また、冷凍冷蔵庫でデザインを他の商品要素に優先した設計を実施したい場合、加工技術的な制約によって形状変更を行わなければならない問題があった。
【０００８】
ホットスタンプによる方法では、加工部品（ハンドル等）の形状が複雑になると、箔に温度と圧力を全面で一定に伝え難くなり箔の密着力が低下し、剥がれ易くなる問題があった。
【０００９】
冷蔵庫の引き出し扉のように扉が閉まっているときには扉正面が意匠となり、扉を引き出した場合には扉上面も意匠となる場合には上面にオーナメントを加工できないことで意匠性を損なっていた。
【００１０】
また、塗装によるオーナメントの加工では部品全体に塗料を吹き付け塗装されてしまう為、ハンドルの一部をポイント的に加工したい場合には、塗料をつけたくない部分の表面をマスキング等の方法で覆わなくてはならず、マスキング治具を取付け及び取り外しの加工コストが掛かってしまうことや、図１１に示したように、量産品においてはほぼ同時に複数個の塗装すべき部品にマスキング治具も相当数必要となり治具製作費用が掛かる等の問題があった。
【００１１】
この発明は、上述のような課題を解決するためになされたもので、安価で、かつ、意匠性の高い冷蔵庫の扉を提供すると共に製造法やリサイクル性を考慮した手掛部のオーナメントを設けた意匠パネルを冷蔵庫扉として生産する事を目的としている。
【００１２】
【課題を解決するための手段】
【００１３】
この発明に係る冷凍冷蔵庫の扉は、扉を開閉操作する手掛け部において、Ｌ字形を有し、前記操作者が操作する方向と同一平面内にＬ字を成す一方の直線を含み、前記手掛け部の手を掛ける面内にＬ字を成す他方の直線を設ける、と共に前記手掛け部に対し別部材化したオーナメントを配設したものである。
【００１４】
また、この発明に係る冷凍冷蔵庫の扉は、操作者が手を掛け扉を開閉操作する手掛け部において、前記手掛け部のＲ止まりを挟み前記冷蔵庫扉を引き出す方向に十分長く装飾した意匠面を形成したオーナメントを装着したものである。
【００１５】
この発明に係る冷凍冷蔵庫の扉は、冷蔵庫が製品機能終了後解体される場合、前記オーナメントは前記オーナメントを前記扉から取り外すと共に前記手掛け部と前記扉の間の嵌合が緩むことで取り外され、前記オーナメントは弾性変形を利用した前記扉との間の嵌合を解除するものである。
【００１６】
【発明の実施の形態】
実施の形態１．
図１において、冷蔵庫の扉に対してオーナメント１３を設ける本発明の実施の形態を表しており図における意匠パネル１は従来例を示す図７により説明したように、図の前後に薄く左右に幅広い形状の内部に空間を有する薄板で筒状に形成されたものであり、前記意匠パネル１において、意匠性を高めるオーナメント１３が施され手掛け用にハンドル３を形成された上キャップ２で上端面を覆われ、下端面を下キャップ４で覆われ、意匠パネル１、手掛け用のハンドルを兼ねた上キャップ２、下キャップ４により形成される空間内部に断熱材５が充填されている。図７における前記ハンドル３での上端面のみに上下方向に狭い幅で箔や塗膜により形成した従来例と比較して、本発明の実施の形態を表す図１では正面での上端面のみならず、正面でも更に高さ方向に幅広く、かつ意匠パネル１の上面に関しても前記オーナメント１３が形成されている。また、従来のハンドル３ではオーナメント３ａがハンドル３と一体化していたが、図１ではハンドル３と、１３として示すオーナメントとは別部材として、（２種以上の部品の相互の突き当て部分を表す）見切部で分割されており、このオーナメント１３は、１３ａとして示した前記オーナメント１３の一部として一体に設けた爪と一体に形成されている。
【００１７】
図２において冷蔵庫の扉のＹ−Ｙ断面を示しており、図で前記オーナメント１３は冷蔵庫の扉の正面と上面とがなすＲ止まりから１ｍｍ以上の直線部を持つＬ字形を形成している。これにより、図４の冷蔵庫の扉が閉まった状態で正面から見た場合、または、引き出し扉を引き出して扉を上面から見た場合でもオーナメント１３が見えるため意匠性が向上する。
【００１８】
図３では、図１で示した冷蔵庫の扉の前記オーナメント１３をＸ−Ｘ断面で示しており、特に前記オーナメント１３の爪１３ａを図示している。図で、前記ハンドル３と前記オーナメント１３がこの爪１３ａによって互いに位置決めし嵌合されつつ固定されて冷蔵庫の扉を形成している。また、図において引出し扉のハンドル３の表面には孔Ａを有し、また別ピースのオーナメント１３に設けた爪１３ａは弾性変形可能な樹脂または金属などリユースやリサイクルに有利な不純物や有害物質を包含しない材質である。
【００１９】
図４において、冷蔵庫の扉が閉じられた状態で、正面から冷蔵庫を眺めた場合、前記ハンドル３の脇で前面にオーナメント１３を眺められ、かつ前記ハンドル３の上端面にオーナメント１３を眺めることが可能であり、前記ハンドル３とは別部材である前記オーナメント１３は前記ハンドル３に取付け後、見える部分がすべて意匠面となる為、部品全表面にメッキ、真空蒸着、塗装等が加工されても問題なく、部品の一部をマスキングしてから加工しなくても良いため、治具取り付け取り外しの加工費、治具の製作費用を抑えることができる。また、前記爪１３ａによる嵌合構造をとっているため、樹脂部品の前記ハンドルと前記オーナメントとして使用した金属調の部品を分離分解ができるためリサイクル性にも配慮している。
【００２０】
次に動作を説明する。図５において、冷凍冷蔵として、製品化のために冷蔵庫を組み立てる場合、引き出し扉である意匠パネル１に対し装着可能に形成された別部材であり２個あるオーナメント１３として、上キャップ２に対し、上キャップ２に設けられた孔において嵌合し冷凍冷蔵庫への組込みをおこなう。また、前記上キャップ２の上方からハンドル３を前記上キャップ２に嵌合させて後に、冷凍冷蔵庫としての製品寿命を満たして後、冷凍冷蔵庫を解体する場合、冷蔵庫等他の製品に転用可能な場合、リユース材料として脱落させて、一部品として、冷凍冷蔵庫の部品としてリユースする。前記オーナメント１３が、消耗度顕著だが材料としての変質が僅かであれば溶融温度などで成分分離して他の製品への転用も含めた材料としてリサイクル製品として再利用する事が可能となり、或いはオーナメント１３の材質劣化が著しければ廃棄する。
【００２１】
また、図６において、前記オーナメント１３の意匠パネル１との接合部に製品解体に使われる工具を差し入れて引き離すよう図の矢印方向に加圧する。すると矢印方向の加圧によって前記オーナメント１３の一部をなす爪１３ａが前記ハンドル３を下から押し上げられ、図の破線で示すよう前記ハンドル３が浮き上がり、前記意匠パネル１及び上キャップ２から分離され易い状態とになり、更に工具を前記オーナメント３の向かって右側の爪１３ａ下端と意匠パネルと上キャップ２との間に差し入れて、前記矢印方向に前記爪１３ａ及び前記ハンドル３を一層前記意匠パネル１から浮かび上がらせて、意匠パネル及び上キャップ２から前記オーナメント１３と前記ハンドル３を分離することが容易となる。なお、工具を利用し工具に加える動力や制御法を適宜選択することで、手作業でも自動機械でも同様に前記オーナメント１３はオーナメント１３自体の弾性変形を利用して、前記上キャップ２と前記ハンドル３及び前記ハンドル３と別部材であるオーナメント１３との間の嵌合を解除可能とした。
【００２２】
この発明に係る冷凍冷蔵庫の扉は、ハンドルをオーナメント見切部で分割し、別部材化し、爪による嵌合構造をとることで、マスキングなしでハンドルの一部にメッキ、真空蒸着、塗装等の二次加工を行ったり、加工方法に制約されず扉の形状を設定可能とするものである。
【００２３】
【発明の効果】
この発明は、以上説明したように構成されているので、以下に示すような効果を奏する。
【００２４】
この発明に係る冷蔵庫の扉は開閉操作する手掛け部において、Ｌ字形を有し、前記操作者が操作する方向と同一平面内にＬ字を成す一方の直線を含み、前記手掛け部の手を掛ける面内にＬ字を成す他方の直線を設ける、と共に前記手掛け部に対し別部材化したオーナメントを配設したものであり、Ｒ止まりまでしかオーナメントを配置できない問題を解決し意匠性を大きく改善することが可能となると共に、ハンドルの一部をポイント的に加工したい場合に塗料をつけたくない部分を覆うマスキング治具を取付けたり、取り外す加工コストが掛かってしまうことを防ぎ安価な冷蔵庫の扉を実現する。
【００２５】
また、冷蔵庫の扉に配置されて操作者が手を掛け前記扉を開閉操作する手掛け部において、前記手掛け部のＲ止まりを挟み前記冷蔵庫扉を引き出す方向に十分長く装飾した意匠面を形成したオーナメントを装着したことにより、扉を正面から見ても上面から見てもオーナメントが見えるようにＬ字形になっており、これにより意匠性を大きく改善することが可能となる。
【００２６】
また、前記扉を開閉操作する手掛け部において、冷蔵庫が製品機能終了後解体される場合、前記オーナメントは前記オーナメントを前記扉から取り外すと共に前記手掛け部と前記扉の間の嵌合が緩むことで取り外され、前記オーナメントは弾性変形を利用した前記扉との間の嵌合を解除されることにより、リユース材料として脱落させて冷凍冷蔵庫の部品としてリユースしたり、オーナメントが消耗度顕著だが材料としての変質が僅かであれば溶融温度などで成分分離して他の製品への転用も含めた材料としてリサイクル製品として再利用が可能なため、製品リサイクル性に優れる冷凍冷蔵庫の扉を提供可能である。
【００２７】
【図面の簡単な説明】
【図１】本発明における実施の形態１の冷凍冷蔵庫の扉を示す図である。
【図２】本発明における実施の形態１の冷凍冷蔵庫の扉Ｙ−Ｙ断面を示す図である。
【図３】本発明における実施の形態１の冷凍冷蔵庫の扉Ｘ−Ｘ断面を示す図である。
【図４】本発明における実施の形態１の冷凍冷蔵庫の扉を示す図である。
【図５】本発明における実施の形態１の冷凍冷蔵庫の扉の組み立てを示す図である。
【図６】本発明における実施の形態１の冷凍冷蔵庫の扉の解体を示す図である。
【図７】従来の冷蔵庫扉を示す図である。
【図８】従来の冷凍冷蔵庫の扉Ｚ−Ｚ断面を示す図である。
【図９】従来の金型における冷凍冷蔵庫の扉の成形状態を示す図である。
【図１０】従来の冷凍冷蔵庫の扉のハンドル部を示す図である。
【図１１】従来の冷凍冷蔵庫の扉の塗装工程を示す図である。
【図１２】従来の冷凍冷蔵庫の扉の断面を示す図である。
【符号の説明】
１　意匠パネル、　　２　上キャップ、　３　ハンドル、　３ａ　オーナメント、　４　下キャップ、　５　断熱材、　７　意匠成形金型、　８　樹脂注ぎ口、
９　意匠側金型面、　１０　オーナメント装着側金型面、　１１　樹脂部品、
１２　箔、　１３　オーナメント、１３ａ　爪、　２３　凹溝部、　２９　把手部、　３０　ハンドル取り付け部
【図１】
2004061043.tif 000003
【図２】
2004061043.tif 000004
【図３】
2004061043.tif 000005
【図４】
2004061043.tif 000006
【図５】
2004061043.tif 000007
【図６】
2004061043.tif 000008
【図７】
2004061043.tif 000009
【図８】
2004061043.tif 000010
【図９】
2004061043.tif 000011
【図１０】
2004061043.tif 000012
【図１１】
2004061043.tif 000013
【図１２】
2004061043.tif 000014